(57)【特許請求の範囲】
【請求項１】
デジタル回線網の接続機器のアナログポートに接続され、発信者番号が付加された着信により発信者番号信号を検出し、この検出された発信者番号がセンタ側システムからの発信であるときにノーリンギング通信を行う端末網制御装置であって、
前記接続機器の動作モードを設定するための設定信号操作手順を受信するための通信手段と、該通信手段により受信した設定信号の操作手順を記憶する操作手順記憶手段と、端末発信のための設定信号送出手段とが設けられ、
前記通信手段により受信した設定信号操作手順を操作手順記憶手段に記憶すると共に、操作手順記憶手段に記憶された設定信号を設定信号送出手段により前記接続機器に送出することにより、前記接続機器の動作モードを設定するようにしたことを特徴とする端末網制御装置。
【請求項２】
デジタル回線網の接続機器のアナログポートに接続され、発信者番号が付加された着信により発信者番号信号を検出し、この検出された発信者番号がセンタ側システムからの発信であるときにノーリンギング通信を行う端末網制御装置であって、
複数種類の接続機器に対応してその動作モードを設定するための複数種類の設定信号操作手順を記憶する操作手順記憶手段と、端末発信のための設定信号送出手段と、接続される接続機器の種類の指示を受ける通信手段とを備え、
前記通信手段により接続される接続機器の種類の指示を受信したとき、前記操作手順記憶手段に記憶された複数の設定信号操作手順の中から、指示された接続機器の種類に対応した設定信号操作手順を選択し、その選択した設定信号操作手順に従い設定信号を送出するようにしたことを特徴とする端末網制御装置。
【請求項３】
前記通信手段は、センタ側システムとの通信手段であることを特徴とする請求項１又は２に記載の端末網制御装置。
【請求項４】
前記通信手段は、端末網制御装置の内部設定データを設定する設定器との通信手段であることを特徴とする請求項１又は２に記載の端末網制御装置。
【請求項５】
前記設定器のキー操作に対応する設定信号を送出して、前記接続機器の動作モードを設定するとともに、この操作手順を前記操作手順記憶手段に記憶するようにしたことを特徴とする請求項４記載の端末網制御装置。
【請求項６】
タイマー手段を備え、前記操作手順記憶手段は、前回操作した設定信号操作手順を記憶するようにされ、前記設定信号送出手段は、前記タイマー手段からの計時信号を受けて周期的に設定信号を送出するようにしたことを特徴とする請求項１〜５のいずれかに記載の端末網制御装置。
【請求項７】
タイマー手段を備え、前記操作手順記憶手段に記憶される設定信号操作手順には待ち時間を指示する手順が含まれ、前記設定信号送出手段は、前記待ち時間の指示信号に従い前記タイマー手段により待ち時間を計時した後、次の設定信号を送出するようにしたことを特徴とする請求項１〜６のいずれかに記載の端末網制御装置。
【請求項８】
コールプログレストーン検出手段を備え、前記操作手順記憶手段に記憶される設定信号操作手順には、コールプログレストーン受信手順が含まれることを特徴とする請求項１〜７のいずれかに記載の端末網制御装置。
【請求項９】
前記設定信号がＰＢ信号である請求項１〜８のいずれかに記載の端末網制御装置。
【発明の詳細な説明】
【０００１】
【発明の属する技術分野】
本発明は、ＩＳＤＮ（Ｉｎｔｅｇｒａｔｅｄ  Ｓｅｒｖｉｃｅｓ  Ｄｉｇｉｔａｌ    Ｎｅｔｗｏｒｋ：総合デジタル通信網）に代表されるデジタル回線を使用してデータ通信を行う通信システムにおいて、ＴＡ（Ｔｅｒｍｉｎａｌ  Ａｄａｐｔｅｒ）のアナログポートに接続され、発信者番号が付加された着信により、ＴＡからアナログポートに送出される発信者番号信号により、ノーリンギング着信できる端末網制御装置に関する。
【０００２】
【従来の技術】
端末側システムとセンタ側システムとの間でＩＳＤＮ等のデジタル回線を使用してデータ通信を行う通信システムにおいては、図１に示すように、端末網制御装置１０にメータ４３や電話機７が接続され、これらアナログ回線用機器をデジタル回線に接続できるようにするため、接続機器としてターミナルアダプタ（ＴＡ）４１のアナログポート４１１に端末網制御装置１０が接続され、回線終端装置（ＤＳＵ）４０、端末網交換局３、センタ側交換局２を経てセンタ側システム１とデジタル回線網で結ばれている。なお、ＴＡ４１のデジタルポート４１０にはパーソナルコンピュータ５が、また、アナログポート４１２にはファクシミリ６が接続されている。
【０００３】
ところで、特開平７−１０７１９７号公報に記載のものでは、電話回線を利用して端末側システムとセンタ側システムとの間でデータ通信を行う通信システムにおいて、発信者番号が付加された着信により発信者番号信号を検出し、検出された発信者番号が前記センタ側システムからの発信であるとき、ノーリンギング通信を行う端末網制御装置が提案されているが、この装置を図１に示すような通信システムに使用するには、着信時にＴＡ４１のアナログポートから発信者番号信号を送出するようにＴＡ４１の動作モードを設定する必要がある。
【０００４】
このＴＡの動作モードの設定方法としては、図１に示すように、データポートに接続したパーソナルコンピュータ５等による通信操作により行うか、または、アナログポートに接続した電話機７のＰＢボタンをＴＡ４１の取扱説明書を見ながら操作しＰＢ信号により設定する方法であった。
【０００５】
図２は電話機７のＰＢボタンを操作してＰＢ信号によりＴＡ４１の設定を行うフローチャートである。この図２に基づいてＴＡの動作モードの設定手順を説明すると、まず、受話器をあげ（ステップ１）、ダイヤルトーンを確認した後（ステップ２）、動作モードを設定する指示を、‘＊’、  ‘＊’、  ‘１’のＰＢボタンを押してＴＡ側に送出する（ステップ３）。ＴＡ４１側からの可聴音信号や音声合成による応答を確認しながら（ステップ４）、順に設定したいポートを選択する（ステップ５）。例えば、設定したいポートがアナログポート１の場合、‘１’のＰＢボタンを押し、ＴＡ４１から応答があれば、次に、ＴＡ４１の発信者番号表示機能を利用するため、その設定の選択を行い（ステップ７）、ＴＡ４１の応答があった後に、発信者番号表示を「する」を指示するために‘１’のＰＢボタンを押す（ステップ９）。ＴＡ４１からの応答後、操作終了の指示である‘♯’を押し（ステップ１１）、受話器をおいて（ステップ１３）、ＴＡ４１の動作設定を完了する。これらの操作を完了してから、端末網制御装置１０の動作チェックを行っていた。
【０００６】
【発明が解決しようとする課題】
上述のように、デジタル回線を使用して端末網制御装置とセンタ側システムとの間でデータ通信を行う通信システムにおいて、発信者番号が付加された着信により発信者番号信号を検出し、検出された発信者番号が前記センタ側システムからの発信であるときにノーリンギング通信を行うには、着信時にＴＡのアナログポートから発信者番号信号を送出するようにＴＡの動作モードを設定する必要があり、通常、この設定にはＴＡに接続されたパーソナルコンピュータや電話機のＰＢボタンを操作して行わなくてはならない。
【０００７】
しかしながら、端末網制御装置の設置時には、ＴＡは通常、屋内に設置されているので、端末網制御装置を屋外に設置し配線工事を完了した後、ユーザに許可を得て、宅内でパーソナルコンピュータを操作させてもらったり、また、市販のＴＡの動作モードの設定方法は、ＴＡ毎に異なるので、ユーザのＴＡの取扱説明書を確認しながら電話機のＰＢボタンを操作して設定する必要がある。従って、ＴＡの動作モードの設定に時間がかかるなど、ユーザに迷惑をかけたり、さらには端末網制御装置の取り付けを断られたりすることがあった。
【０００８】
また、設置後には、ユーザが、ＴＡ等の接続機器を変更したり、ＴＡの設定を工場出荷時の設定に戻してしまうなどして、端末網制御装置を設置したときのＴＡの動作設定内容とは違う内容になリ端末網制御装置が正常に動作しなくなることがあった。このような場合には、システム運営者がユーザ宅まで出向き、ＴＡの動作設定を再度行うなどの処置が必要であった。
【０００９】
【課題を解決するための手段】
本発明に係る端末網制御装置は、上記の課題を解決するために、ＴＡなどの接続機器の動作モードを設定するための設定信号の操作手順を記憶する操作手順記憶手段と、端末発信のための設定信号送出手段とを備え、この設定信号送出手段により、操作手順記憶手段に記憶された設定信号を送出して接続機器の動作モードを設定し、端末網制御装置の設置時の接続機器の動作設定を簡単に行えるようにしたものである。
【００１０】
ここで、接続機器としては、ＴＡが例示できるが、その他、ＤＳＵとＴＡが一体になったもの、ルータと呼ばれるＴＡの機能を有するものも含む概念である。また、設定信号としては電話回線に使用されるＰＢ信号が例示できるが、ＴＡなどの接続機器の動作モードを設定できるものならば特に限定されず、ＦＳＫ信号やＰＳＫ信号であってもよい。
【００１１】
また、市販のＴＡの動作モードの設定方法はＴＡ毎に異なるので、操作手順記憶手段では、複数の種類のＴＡに対応できるように複数の操作手順を記憶できるようにするのが望ましい。これに対応して、接続されるＴＡの種類の指示を受ける通信手段を備え、設定信号送出手段は、通信により接続されるＴＡの種類を指示されたとき、指示されたＴＡの種類に対応したＰＢ信号等の操作手順に従い設定信号を送出するようにすれば、運用途中でユーザのＴＡの種類が変更されても対応することができる。
【００１２】
また、端末網制御装置に設定信号操作手順を受信するための通信手段を備え、通信により設定信号操作手順を受信し、受信した設定信号操作手順を操作手順記憶手段に記憶させるようにすれば、端末網制御装置の設置時にＴＡ等の接続機器に対応した操作手順の記憶が可能となる。
【００１３】
この通信の相手先としては、センタ側システム、あるいは端末網制御装置の内部設定データを設定する設定器が例示できる。設定器との通信による場合、端末網制御装置では、設定器のキー操作に対応するＰＢ信号等の設定信号を送出してＴＡの動作モードを設定するとともに、この操作手順を記憶する操作手順記憶手段に記憶するようにすれば、操作手順の記憶と設定動作とが並行して行える。
【００１４】
操作手順記憶手段としては、端末網制御装置内に設置されたＲＡＭが例示できるが、このメモリとして記憶容量が大きくかつ書き換え可能なＥＥＰＲＯＭやフラッシュＲＯＭなどの不揮発性メモリが好適である。
【００１５】
上記のような操作手順記憶手段においては、前回操作したＰＢ信号操作手順を記憶させておくことが可能であり、これと合わせて周期的に再設定操作を行うタイマー手段を備え、このタイマー手段からの計時信号により設定信号送出手段から周期的に設定信号を送出するようにすれば、動作設定を周期的に繰り返すので、ユーザにより接続機器の動作モードが変更されても、端末網制御装置の設置時の設定に戻すことができる。
【００１６】
また、設定するＴＡ等の接続機器によっては、設定信号送出手段から設定信号を送出しても応答が遅い機種もあり、単純に設定信号を順次送出してもＴＡ等の接続機器の設定を失敗することがある。これに対応するには、操作手順記憶手段に記憶される設定信号操作手順には各種接続機器の応答が十分できる待ち時間を指示する手順を含むようにし、設定信号送出手段から待ち時間の指示信号に従いタイマー手段によって計時した時間後に、次の設定信号を送出するようにすれば、各種接続機器の応答に対応することができる。
【００１７】
同様に、設定するＴＡ等の接続機器によっては、ＰＢ信号以外に、ダイヤルトーン、リングバックトーン、ビジートーンなどのコールプログレストーン（ＣＰＴ）によって応答するものがあるので、単純にＰＢ信号等の設定信号を順に送出するだけではＴＡの動作設定に失敗することがある。従って、このようなＣＰＴによって応答するＴＡに対応するために、コールプログレストーン検出手段を備え、設定信号操作手順にコールプログレストーン受信手順を含むようにすれば、ＴＡ等の接続機器の動作モードの設定がより確実に行える。
【００１８】
上述の通り、端末側システムとセンタ側システムとの間でデジタル回線を使用してデータ通信を行う通信システムにおいて、回線に接続されたＴＡ等の接続機器の動作設定を、そのアナログポートに接続された端末網制御装置から簡単に行うことができる。そのため、端末網制御装置の設置後において、発信者番号が付加された着信により発信者番号信号を検出し、この検出された発信者番号がセンタ側システムからの発信であるときにノーリンギングで行うデータ通信もスムーズにできる。
【００１９】
【発明の実施の形態】
本発明に係る端末網制御装置の実施の形態を図３〜図１１に基づいて説明する。本発明の実施の形態を示す端末網制御装置が適用されたシステム構成は、「従来の技術」の欄で説明した図１に示す構成と基本的に同様である。そのため、以下の説明においては図１を再び参照する。
【００２０】
端末網制御装置１０は、図１に示す端末側システム４のＴＡ４１のアナログポート４１１に接続され、ガスメータ４３と電話機７が接続されている。設定器８は工事やメンテナンスの時など必要時に接続される。
【００２１】
図３は本実施形態における端末網制御装置の内部構成を示すブロック図である。端末網制御装置１０は、回線の極性の反転を検出する極反検出部１０１と、呼出信号（リンガー）を検出する呼出信号検出部１０２と、回線のオフフックを検出するオフフック検出部１０３と、端末側から発呼するためのダイヤル部１０４と、回線を通して外部と送受信を行う回線通信部１０５と、電話機７を回線に対して接続したり切り離したりするリレーを有する切替部１０６と、ガスメータ４３や設定器８が接続されるインターフェース部１１６、１１７を有する端末機器通信部１１５と、これら各機能部を制御する制御部１１１と、内蔵電池１１８とを備えたものである。
【００２２】
制御部１１１は、マイクロコンピュータ１１２、メモリ部１１４及びタイマー部１１３を備えている。回線通信部１０５は、デジタル信号とアナログ信号とを変調又は復調するモデム部１０７、ＰＢ信号受信部１０８、ＰＢ信号送信部１０９、及びコールプログレストーン（ＣＰＴ）を検出するＣＰＴ検出部１１０とを備えている。
【００２３】
ＰＢ信号操作手順記憶手段としてのメモリ部１１４には、ＴＡ４１の動作モードを設定するためのＰＢ信号操作手順が記憶されている。図４はメモリ部１１４におけるＰＢ信号テーブルである。図５はＴＡ設定の動作フローチャートである。
【００２４】
この図４及び図５に基づいて端末網制御装置１０の設置時におけるＴＡ４１の基本的設定動作を説明すると、まず、ダイヤル手段であるダイヤル部１０４によリオフフックし（ステップ２１）、ＴＡ４１からの応答時間として３秒間待った後（ステップ２２）、図４に示すＴＡ設定のためのＰＢ信号テーブルから先頭の値を読みとる（ステップ２３）。この場合、テーブルの値が‘＊’であるので、ＰＢテーブルから‘＊’のＰＢ信号を１００ｍｓｅｃ間送出する（ステップ２５）。次に、ＴＡ４１の処理時間を考慮して１００ｍｓｅｃ間待った後（ステップ２６）、ＰＢ信号テーブルの次の値を取り出し、‘空’でないか判断し（ステップ２４）、‘空’でなければ読みとった値のＰＢ信号を送出し、‘空’ならば、設定信号操作手順が終了したことを表すので、オンフックし（ステップ２７）、ＴＡの設定動作が完了となる。
【００２５】
上記基本的な設定動作はメモリ部１１４に記憶されている操作手順が単一の場合である。しかしながら、ＴＡ４１は機種によって設定動作が異なるので、メモリ部１１４には、これに対応して複数の操作手順を記憶しておき、運用途中でユーザのＴＡの種類が変更されても、センター側システム１や設定器８から通信により指示を出し、簡単に新しいＴＡの動作モードを設定できる。
【００２６】
図６は、ＰＢ信号操作手順記憶手段としてのメモリ部１１４に記憶されている複数の種類のＴＡ設定に対応したＰＢ信号テーブルである。図６において、左の列の（Ａ）〜（Ｘ）はＴＡの種類を表している。端末網制御装置１０は、図３に示すように、センタ側システム１との通信手段である回線通信部１０５、または、設定器８との通信手段である端末機器通信部１１５を備えているか、もしくは、両方を備えており、これらの通信手段からの指示により、指示された接続機器の種類に対応した設定信号操作手順に従い、ＴＡ４１に設定信号を送出するようにしている。
【００２７】
端末網制御装置１０は、これらの通信手段から、ＴＡ４１を設定するためのＰＢ信号操作手順を受信し、ＰＢ信号操作手順記憶手段であるメモリ部１１４に記憶する。この操作手順は複数の種類のＴＡ毎に送られてくれば、複数種類のＴＡ設定のためのＰＢ信号テーブルとして記憶する。
【００２８】
これらの通信手段により、端末網制御装置１０が接続されているＴＡ４１の種類を通知する電文を受信すると、そのＴＡに対応するＰＢ信号テーブルを読み取り、図５に示すＴＡ設定の動作フローチャートに従い設定動作を行う。例えば、通知されたＴＡの種類が（Ｃ）ならば、ＰＢ信号‘＃’、‘１’、  ‘２’、‘＊’、‘４’、‘１’、‘１’、‘＊’、‘＊’、‘１’、‘♯’、‘♯’を順に送出する。
【００２９】
端末網制御装置１０のメモリ部１１４に記憶されているＴＡ以外のＴＡに変更された場合は、設定器のキー操作によって電話機と同じように設定できる。その設定動作を図７及び図８に基づいて説明する。図７は設定器の操作キーの説明図、図８は設定器のキーによる手動設定のフローチャートである。
【００３０】
まず、設定器８を操作して端末網制御装置１０をＴＡ４１を設定器８のキ―操作で設定する手動設定モードにする。端末網制御装置１０では、設定器８から手動設定モードの電文を受信すると（ステップ３１）、ダイヤル部１０４によりオフフックし（ステップ３２）、手動設定モードに入る。この手動設定モードにおいて、設定器８で０から９の数字と、＊、♯のキーが押されたとき、端末網制御装置１０では、どのキーが押されたかを受信し（ステップ３３）、押されたキーに対応するＰＢ信号を１００ｍｓｅｃ間送出する（ステップ３６）。回線の接続端子（図示略）にモニタスピーカを接続しておけば、ＰＢ信号を聞きながら設定器８により操作もできる。工事者は、ＴＡの取扱説明書に従い設定器８のキーを操作すればよく、ユーザの宅内電話機を使わずに、屋外に設置する端末網制御装置１０でユーザ宅内のＴＡ４１を設定することができる。
【００３１】
このとき、操作手順をメモリ部１１４のＰＢ信号テーブルに記憶しておき（ステップ３５）、ユーザが誤ってＴＡを工場出荷時の状態に戻したときなど、再度、設定しなければならない場合、メモリ部１１４に記憶した操作手順を使用することができる。なお、上記手動設定モードにおいて、設定器８で０から９の数字および＊、♯以外のキーが押されたとき、端末網制御装置１０では、手動設定モードの終了と判断し（ステップ３８）、オンフックし（ステップ３９）、操作を終了する。
【００３２】
また、メモリ部１１４に記憶した操作手順の利用方法としては、端末網制御装置１０からＴＡ４１に対して周期的に再設定操作を行うようにしてもよい。すなわち、ユーザがＴＡを使用している間にＴＡの設定を変更したり、工場出荷時の設定に戻してしまうなどして、端末網制御装置を設置したときのＴＡの設定内容とは違ってしまい、端末網制御装置１０が正常に動作できなくなることがある。これに対応して、前回操作したＰＢ信号操作手順をメモリ部１１４に記憶しておき、タイマー手段であるタイマー部１１３により、操作したときから周期的（例えば、１回／日）に同じ設定操作を行うようにすれば、ユーザによるＴＡの動作モードが変更されても、端末網制御装置１０では、１周期以内には、設置時の設定に戻すことができる。この場合のメモリ部１１４は、電気的消去書き込み可能なＥＥＰＲＯＭやフラッシュＲＯＭなどが好適である。
【００３３】
また、設定するＴＡ４１によっては、ＰＢ信号による設定操作の手順において、ＴＡからの応答が遅かったり、音声で操作手順を知らせるものやコールプログレストーン（ＣＰＴ）で応答をするものがあるので、単純にＰＢ信号を順に送出していたのでは、設定を失敗することがある。その対策として、メモリ部１１４に記憶される操作手順に待ち時間を入れたり、ＣＰＴ検出部１１０を備えた構成とする。
【００３４】
図９は、待ち時間を指示する手順が含まれたＰＢ信号テーブルである。この例では、文字‘Ｐ’があれば、続く数字‘２’の秒数の間、時間待ちをすることを示す。
【００３５】
図１０は、コールプログレストーン検出手順が含まれたＰＢテーブルとＣＰＴのパターンを示す説明図である。この例では、文字‘Ｃ’があれば、続く数字‘１’または‘２’はコールプログレストーンのパターンを表す。  「Ｃ１」のコールプログレストーンパターンは連続のコールプログレストーンの受信待ちとなる。この場合の連続とは３秒以上を意味する。  「Ｃ２」のコールプログレストーンパターンは連続２秒ＯＮのコールプログレストーンの受信待ちとなる。
【００３６】
図１１に待ち時間を指示する手順とコールプログレストーン検出手順が含まれた場合のＴＡ設定の動作フローチャートを示す。オンフックした後（ステップ４１）、受信したＰＢ信号テーブルから値を取り出し（ステップ４２）、ＰＢ信号テーブルからの値が文字‘Ｐ’であれば（ステップ４３）、続く数字の秒数の間を待つことにより  （ステップ４４）、遅い応答のＴＡに対応できる。
【００３７】
設定するＴＡによっては、ＰＢ信号による設定操作の手順において、ＴＡからの応答がコールプログレストーンによるものがある。ＰＢ信号を送出した後、応答がコールプログレストーンを用いているＴＡでは、コ―ルプログレストーン受信手段を備えることにより確実にＴＡが設定できたかを確認することができる。
【００３８】
この例では、文字‘Ｃ’があれば（ステップ４５）、続く数字で表すコールプログレストーンのパターンを検出すれば、それぞれのパターンに応じ次手順に進む。文字‘Ｃ’でなければ、次に‘空’でないか判断し（ステップ４８）、‘空’でなければＰＢ信号を１００ｍｓｅｃ間送出し（ステップ４９）、次に１００ｍｓｅｃ間待つ（ステップ５０）。‘空’ならば、設定操作終了と判断してオンフンクし（ステップ５１）、設定操作を完了する。
【００３９】
上記のごとく、ＴＡ４１の動作設定が完了すれば、センタ側システム１から発信された発信者番号が付加された着信により、端末網制御装置１０において、発信者番号信号を検出し、この検出された発信者番号がセンタ側システムからの発信であるときにノーリンギングで通信を行うことができる。
【００４０】
【発明の効果】
以上の説明から明らかな通り、本発明によると、従来まで電話機のダイヤルボタンを人が操作し、ＴＡ等の接続機器の動作モードを設定していたが、端末網制御装置にその操作をさせることにより、端末網制御装置の設置時に、ユーザに迷惑をかけることなく、スムーズに屋外に設置できる。
【００４１】
また、複数種類の接続機器に対応した設定信号操作手順を記憶しておくことにより、複数種類の接続機器の動作モードを設定することができるので、運用途中でユーザの接続機器の種類が変更されても、センターシステムや設定器から通信により指示を出し、簡単に新しい接続機器の動作モードを設定できる。また、記憶している複数種類の接続機器以外の接続機器に対しては、設定器のキー操作でも電話機と同じように設定できる。
【００４２】
さらには、タイマー手段を備えることにより、前回行った操作手順を記憶しておき、周期的に設定を繰り返すので、ユーザによるＴＡの動作モードが変更されても、１周期以内には、設置時の設定に戻すことができる。
【００４３】
また、設定信号による接続機器の設定では、接続機器によっては操作手順の応答タイミングや応答に違いがあるので、操作手順に待ち時間を入れることや、コールプログレストーンの検出手段を備えることにより、より確実な設定が可能となる。
【図面の簡単な説明】
【図１】ＩＳＤＮ回線における通信システム図である。
【図２】従来の電話機のＰＢボタンによるＴＡの設定フローチャートである。
【図３】本発明の端末網制御装置の内部構成を示すブロック図である。
【図４】ＴＡ設定のためのＰＢ信号テーブルである。
【図５】ＴＡ設定の動作フローチャートである。
【図６】複数の種類のＴＡ設定に対応したＰＢ信号テーブルである。
【図７】設定器の操作キーの説明図である。
【図８】設定器のキーによる手動設定のフローチャートである。
【図９】待ち時間を指示する手順が含まれたＰＢ信号テーブルである。
【図１０】コールプログレストーン検出手順が含まれたＰＢテーブルとＣＰＴのパターンを示す説明図である。
【図１１】待ち時間を指示する手順とコールプログレストーン検出手順が含まれた場合のＴＡ設定の動作フローチャートである。
【符号の説明】
１：センタ側システム
２：センタ側交換局
３：端末側交換局
４：端末側システム
５：パーソナルコンピュータ
６：ファクシミリ
７：電話機
８：設定器
９：ＩＳＤＮ
１０：ノーリンギング通信装置
４０：ＤＳＵ（Ｄｉｇｉｔａｌ    Ｓｅｒｖｉｃｅ  Ｕｎｉｔ）
４１：ＴＡ（Ｔｅｒｍｉｎａｌ  Ａｄａｐｔｅｒ）
４３：ガスメータ
４１０：データポート
４１１：アナログポート１
４１２：アナログポート２
１０１：極反検出部
１０２：呼出信号検出部
１０３：オフフック検出部
１０４：ダイヤル部
１０５：回線通信部
１０６：電話機切り分けリレー
１０７：モデム部
１０８：ＰＢ信号受信部
１０９：ＰＢ信号送信部
１１０：ＣＰＴ検出部
１１１：制御部
１１２：マイクロコンピュータ
１１３：タイマー部
１１４：メモリ部
１１５：端末機器通信部
１１６：メータインタフェース部
１１７：設定器インタフェース部
１１８：電池
【図１】
0003554694.tif 000002
【図２】
0003554694.tif 000003
【図３】
0003554694.tif 000004
【図４】
0003554694.tif 000005
【図５】
0003554694.tif 000006
【図６】
0003554694.tif 000007
【図７】
0003554694.tif 000008
【図８】
0003554694.tif 000009
【図９】
0003554694.tif 000010
【図１０】
0003554694.tif 000011
【図１１】
0003554694.tif 000012